(57)【要約】【課題】  発電機制御盤のコンピュータに故障が発生してもこれに影響されることなく、該コンピュータに設定されあるいは演算された発電機の運転制御値によって発電機の運転制御を所要の制御精度を保持して円滑に行うことを可能とした発電機運転制御装置を提供する。【解決手段】  発電機制御盤にて設定された発電電力制御信号により発電機を運転制御するように構成され、発電機の運転制御値を演算、記憶するコンピュータと、該コンピュータから入力される運転制御値に基づき発電機を運転制御する制御シーケンサとを備えた発電機運転制御装置において、前記コンピュータは、該コンピュータの故障を検知する故障検知手段と、該故障検知手段により該コンピュータの故障が検知されたとき該コンピュータ内の制御演算要素のデータを制御シーケンサにダウンロードせしめる故障ダウンロード指令手段とを備えてなることを特徴とする。【選択図】    図１
2006087207.tif 000002
【特許請求の範囲】
【請求項１】
発電機制御盤にて設定された発電電力制御信号により発電機を運転制御するように構成された発電機運転制御装置であって、前記発電機制御盤は、前記発電機の運転制御値を演算、記憶するコンピュータと、該コンピュータから入力される前記運転制御値に基づき前記発電機を運転制御する制御シーケンサとを備えた発電機運転制御装置において、前記コンピュータは、該コンピュータの故障を検知する故障検知手段と、前記故障検知手段により該コンピュータの故障が検知されたとき該コンピュータ内の制御演算要素のデータを前記制御シーケンサにダウンロードせしめる故障ダウンロード指令手段とを備えてなることを特徴とする発電機運転制御装置。
【請求項２】
前記コンピュータは、該コンピュータの故障条件が設定された故障条件設定手段を備え、前記故障検知手段はコンピュータの前記制御演算要素の実際値と前記故障条件設定手段に設定された故障条件とを比較し、前記制御演算要素の実際値が前記故障条件に達したとき該コンピュータの故障を自己判定するように構成されてなることを特徴とする請求項１記載の発電機運転制御装置。
【請求項３】
前記コンピュータ内の制御演算要素及び該コンピュータの故障を表示する表示装置を備え、前記制御シーケンサは前記コンピュータから前記ダウンロードがあったとき前記コンピュータの故障内容を前記表示装置に表示せしめるように構成されてなることを特徴とする請求項１記載の発電機運転制御装置。
【請求項４】
前記コンピュータは、前記発電機の運転制御値及び前記制御演算要素のデータのダウンロード値を前記制御シーケンサに出力する出力装置を備え、前記コンピュータの故障が検知されたとき前記制御演算要素のデータのダウンロード終了後、前記出力装置と前記制御シーケンサとの接続を遮断可能に構成され、制御シーケンサは前記ダウンロード終了後においては前記ダウンロードされた前記制御演算要素を用いて前記発電機を運転制御するように構成されてなることを特徴とする請求項１記載の発電機運転制御装置。
【発明の詳細な説明】
【技術分野】
【０００１】
本発明は、主として外部からの受電値及び発電機による発電電力の双方を選択利用可能にした発電装置に適用され、発電機制御盤にて設定された発電電力制御信号により発電機を運転制御するように構成され、前記発電機制御盤に発電機の運転制御値を演算、記憶するコンピュータ及び該コンピュータから入力される発電機の運転制御値に基づき発電機を運転制御する制御シーケンサを備えた発電機運転制御装置に関する。
【背景技術】
【０００２】
可搬用監視装置の出力端末から、発電設備の発電電力を制御するようにした発電機運転制御装置の１つとして、特許文献１（特開２０００−８８９３２号公報）の技術が提供されている。
かかる技術においては、可搬用監視装置を、情報表示部と、該情報表示部の表示内容の切換え及び表示条件の設定を行う操作部と、入力された信号の情報処理を行いその結果を前記情報表示部に表示させるとともに前記操作部からスケーリングのための信号が入力されたとき前記情報表示部に表示した表示スケールが変更されるよう前記情報処理を行う情報処理制御部により構成することにより、１つの纏まった監視装置で多くの発電設備の監視を実施可能にしている。
【０００３】
【特許文献１】特開２０００−８８９３２号公報
【発明の開示】
【発明が解決しようとする課題】
【０００４】
発電機制御盤にて設定された発電電力制御信号により複数の発電機を運転制御するように構成された発電機運転制御装置においては、前記発電機制御盤を、前記発電機の運転制御値を演算、記憶するパネルコンピュータと、該パネルコンピュータから入力される前記運転制御値に基づき複数の発電機を運転制御する制御シーケンサとにより構成した発電機運転制御装置が多く用いられている。
【０００５】
かかる発電機運転制御装置においては、パネルコンピュータにおいて発電機の運転制御値を演算しその結果を制御シーケンサに出力するとともに、該パネルコンピュータ内の記憶手段に保存している。
然るに、かかる発電機運転制御装置においてパネルコンピュータに故障が発生した場合には、該パネルコンピュータにて演算され、あるいは記憶されている制御演算要素即ち発電機の運転制御値の全部または一部が失われ、発電機制御盤の機能が喪失して発電機の運転制御が不可能になるいう事態が発生する。
しかしながら、前記特許文献１（特開２０００−８８９３２号公報）の技術にあっては、可搬可能な制御監視装置の出力端末から、複数の発電設備の発電電力を制御するように構成されているにとどまり、前記のような発電機運転制御装置のコンピュータに故障が発生した場合の対処手段は開示されていない。
【０００６】
本発明はかかる従来技術の課題に鑑み、発電機制御盤のコンピュータに故障が発生してもこれに影響されることなく、該コンピュータに設定されあるいは演算された発電機の運転制御値によって発電機の運転制御を所要の制御精度を保持して円滑に行うことを可能とした発電機運転制御装置を提供することを目的とする。
【課題を解決するための手段】
【０００７】
本発明はかかる目的を達成するもので、発電機制御盤にて設定された発電電力制御信号により発電機を運転制御するように構成された発電機運転制御装置であって、前記発電機制御盤は、前記発電機の運転制御値を演算、記憶するコンピュータと、該コンピュータから入力される前記運転制御値に基づき前記複数台の発電機を運転制御する制御シーケンサとを備えた発電機運転制御装置において、前記コンピュータは、該コンピュータの故障を検知する故障検知手段と、前記故障検知手段により該コンピュータの故障が検知されたとき該コンピュータ内の制御演算要素のデータを前記制御シーケンサにダウンロードせしめる故障ダウンロード指令手段とを備えてなることを特徴とする。
【０００８】
かかる発明において好ましくは、前記コンピュータは、該コンピュータの故障条件が設定された故障条件設定手段を備え、前記故障検知手段はコンピュータの前記制御演算要素の実際値と前記故障条件設定手段に設定された故障条件とを比較し、前記制御演算要素の実際値が前記故障条件に達したとき該コンピュータの故障を自己判定するように構成される。
【０００９】
かかる発明によれば、コンピュータの故障検知手段において、好ましくは該コンピュータに設定されあるいは演算された制御演算要素の実際値と、故障条件設定手段に設定されたコンピュータの故障条件つまり前記制御演算要素の許容値とを比較して、前記制御演算要素の実際値のいずれか１つが前記故障条件に達したときつまり許容範囲外になったとき、コンピュータに故障が発生したものと判定し、該コンピュータの故障ダウンロード指令手段によって、該コンピュータ内に設定されあるいは演算された発電機の運転制御値である制御演算要素のデータを制御シーケンサにダウンロードせしめ、前記制御シーケンサによって該制御シーケンサにおけるダウンロード値を用いて発電機の運転制御を行うことが可能となる。
【００１０】
従ってかかる発明によれば、コンピュータの故障の発生を自己診断によって自動的に検知できるとともに、該コンピュータの故障発生時には、該コンピュータに設定されあるいは演算された発電機の運転制御値である制御演算要素をただちに制御シーケンサにダウンロードせしめ、該制御シーケンサにおけるダウンロード値を用いて該制御シーケンサによって発電機の運転制御を行うことが可能となり、該コンピュータに故障が発生してもこれに影響されることなく、前記コンピュータに設定されあるいは演算されていた発電機の運転制御値によって発電機の運転制御を所要の制御精度を保持して円滑に行うことができる。
【００１１】
また、かかる発明において好ましくは、前記コンピュータ内の制御演算要素及び該コンピュータの故障を表示する表示装置を備え、前記制御シーケンサは前記コンピュータから前記ダウンロードがあったとき前記コンピュータの故障内容を前記表示装置に表示せしめるように構成される。
このように構成すれば、コンピュータの故障判定がなされたとき、該コンピュータの故障内容を表示装置の表示によって正確かつ迅速に認識でき、故障部の修理を迅速に行い得るとともに、制御シーケンサにダウンロードされた発電機の運転制御値である制御演算要素を容易に確認できる。
【００１２】
また、かかる発明において好ましくは、前記コンピュータは、前記発電機の運転制御値である制御演算要素のダウンロード値を前記制御シーケンサに出力する出力装置を備え、前記コンピュータの故障が検知されたとき前記制御演算要素のデータのダウンロード終了後、前記出力装置と前記制御シーケンサとの接続を遮断可能に構成され、制御シーケンサは前記ダウンロード終了後においては前記ダウンロードされた前記制御演算要素を用いて前記発電機を運転制御するように構成される。
このように構成すれば、コンピュータの故障判定がなされたとき、前記発電機の運転制御値である制御演算要素のデータを前記制御シーケンサにダウンロードした後、コンピュータ側と制御シーケンサ側とを完全に遮断することにより、前記コンピュータの故障の影響を全く受けることなく、制御シーケンサにダウンロードされている発電機の運転制御値によって発電機を運転制御できる。
【発明の効果】
【００１３】
本発明によれば、コンピュータの故障の発生を自己診断によって自動的に検知できるとともに、該コンピュータの故障発生時には、該コンピュータに設定されあるいは演算された発電機の運転制御値をただちに制御シーケンサにダウンロードせしめ、該ダウンロード値を用いて該制御シーケンサによって発電機の運転制御を行うことが可能となり、コンピュータに故障が発生してもこれに影響されることなく、コンピュータに設定されあるいは演算されていた発電機の運転制御値によって発電機の運転制御を所要の制御精度を保持して円滑に行うことができる。
【発明を実施するための最良の形態】
【００１４】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００１５】
図２は本発明の実施例に係る発電機制御装置の全体構成図であり、図において、１は外部入力端末で、後述する発電機制御盤１０１のパネルコンピュータ２に外部からの受電値及び発電機の運転スケジュール等の外部信号を入力するものである。
１０２は発電機で、この例ではＮｏ．１発電機盤４、Ｎｏ．２発電機盤５、Ｎｏ．３発電機盤６の３個（１個でも複数個でもよい）の発電機盤を備えている。
１０１は前記発電機１０２を運転制御する発電機制御盤で、後述する演算、制御を行うパネルコンピュータ２及び制御シーケンサ３を備えている。７は前記制御シーケンサ３に接続される表示装置である。
【００１６】
図１は前記実施例に係る発電機制御装置の制御ブロック図であり、図１において、前記外部入力端末１は、後述する運転スケジュールによって決められる受電値即ち受電一定値を、有線あるいは無線の通信手段２９を介してパネルコンピュータ２の受電値設定部２１に入力する。
２２は前記発電機１０２の運転日及び運転時間帯等の運転スケジュールが設定された運転スケジュール設定部、２３は前記発電機１０２の運転履歴を記憶、保存する運転履歴記憶部である。
２０は前記受電値設定部２１、運転スケジュール設定部２２、運転履歴記憶部２３等の、発電機１０２の運転制御値である制御演算要素である。尚、前記制御演算要素２０には、前記のほか発電機１０２の運転制御値全体を含む。
【００１７】
前記受電値設定部２１においては、前記運転スケジュール設定部２２に設定されている発電機１０２の運転日及び運転時間帯からなる運転スケジュールと前記受電一定値とにより、該運転スケジュールに対応する発電装置の必要受電設定値を算出する。この必要受電設定値の算出値はコンピュータ出力手段２７に入力される。
該パネルコンピュータ２のコンピュータ出力手段２７からの前記必要受電設定値の算出値は制御シーケンサ３の目標電力演算部３１に入力される。
該目標電力演算部３１においては、前記必要受電設定値Ｐ及び必要な運転総負荷Ｌと、現在の発電機運転台数Ｎとにより、次の（１）式で発電機１０２の発電による発電機１台当たりの目標電力Ｗを算出する。
Ｗ＝（Ｌ−Ｐ）／Ｎ
従って、前記目標電力演算部３１で算出された目標電力Ｗが、発電機１０２のＮｏ．１発電機盤４、Ｎｏ．２発電機盤５、Ｎｏ．３発電機盤６に入力され、Ｎｏ．１発電機盤４、Ｎｏ．２発電機盤５、Ｎｏ．３発電機盤６の発電機は前記目標電力Ｗで運転される。
【００１８】
２６は故障条件設定部で、前記受電値設定部２１、運転スケジュール設定部２２、運転履歴記憶部２３等の、発電機１０２の運転制御値である制御演算要素２０における故障の
条件つまり前記制御演算要素２０の故障限界である許容値が設定されている。
２５は故障検知部で、前記受電値設定部２１、運転スケジュール設定部２２、運転履歴記憶部２３等の、制御演算要素２０の現状値つまり実際値と前記故障条件設定部２６に設定されている前記制御演算要素２０の許容値とを比較して、該制御演算要素２０の実際値のいずれか１つが前記故障条件に達したときつまり前記許容値の範囲外になったとき、パネルコンピュータ２に故障が発生したものと判定し、この判定結果を故障ダウンロード指令部２４に入力する。
【００１９】
該故障ダウンロード指令部２４においては、前記故障検知部２５からパネルコンピュータ２の故障発生の判定結果が入力されると、該パネルコンピュータ２内に設定されあるいは演算されている前記制御演算要素２０、つまり前記発電機１０２の運転制御値のデータを制御シーケンサ３にダウンロードせしめる指令信号を前記コンピュータ出力手段２７に入力する。
該コンピュータ出力手段２７は、前記制御演算要素２０のデータを制御シーケンサ３の故障表示指令部３４にダウンロードする。
【００２０】
前記制御シーケンサ３の故障表示指令部３４においては、前記のようにしてダウンロードされた前記制御演算要素２０のデータ、つまり前記パネルコンピュータ２の故障内容を前記表示装置に表示せしめるとともに、該故障内容のデータを故障内容記憶部３５に記憶せしめる。
このように構成すれば、前記パネルコンピュータ２の故障判定がなされたとき、該パネルコンピュータ２の故障内容を表示装置７の表示によって正確かつ迅速に認識でき、パネルコンピュータ２の故障部の修理を迅速に行い得るとともに、制御シーケンサ３にダウンロードされた制御演算要素２０の故障部分を容易に確認できる。
尚、前記表示装置７に表示された制御演算要素２０の故障部分を前記パネルコンピュータ２の故障検知部２５にフィードバックするように構成してもよい。
【００２１】
以上の動作により、前記パネルコンピュータ２の故障判定がなされたときには、前記制御シーケンサ３にダウンロードされた発電機１０２の運転制御値である制御演算要素２０
を用いて発電機１０２の運転制御を行うことが可能となる。
従ってかかる実施例によれば、パネルコンピュータ２の故障の発生を該パネルコンピュータ２の自己診断によって自動的に検知できるとともに、該パネルコンピュータ２の故障発生時には、該パネルコンピュータ２に設定されあるいは演算された発電機１０２の運転制御値である制御演算要素２０をただちに制御シーケンサ３にダウンロードせしめ、該制御シーケンサ３におけるダウンロード値を用いて該制御シーケンサ３によって発電機１０２の運転制御を行うことが可能となる。
これにより、パネルコンピュータ２に故障が発生しても、かかる故障に影響されることなく、該パネルコンピュータ２に設定されあるいは演算されていた発電機１０２の運転制御値によって、該発電機１０２の運転制御を所要の制御精度を保持して円滑に行うことができる。
【００２２】
また、前記パネルコンピュータ２には、前記制御演算要素２０のダウンロード値を前記制御シーケンサ３に出力するコンピュータ出力手段２７を備えているので、前記パネルコンピュータ２の故障が検知されたとき、前記制御演算要素２０のデータの制御シーケンサ３へのダウンロード終了後、該コンピュータ出力手段２７と前記制御シーケンサ３との接続回線２８を該コンピュータ出力手段２７によって遮断可能となっている。  
従って、前記パネルコンピュータ２の故障判定がなされたときにおいて、前記制御演算要素２０のデータを前記制御シーケンサ３にダウンロードした後、パネルコンピュータ２側と制御シーケンサ３側とをコンピュータ出力手段２７によって完全に遮断することにより、前記パネルコンピュータ２の故障の影響を全く受けることなく、制御シーケンサ３にダウンロードされている発電機の運転制御値で発電機１０２を運転制御できる。
【産業上の利用可能性】
【００２３】
本発明によれば、発電機制御盤のコンピュータに故障が発生してもこれに影響されることなく、該コンピュータに設定されあるいは演算された発電機の運転制御値によって発電機の運転制御を所要の制御精度を保持して円滑に行うことを可能とした発電機運転制御装置を提供できる。
【図面の簡単な説明】
【００２４】
【図１】本発明の実施例に係る発電機制御装置の制御ブロック図である。
【図２】前記実施例における全体構成図である。
【符号の説明】
【００２５】
１０１    発電機制御盤
１０２    発電機
１  外部入力端末
２    パネルコンピュータ
３    制御シーケンサ
４、５、６    発電機盤
７    表示装置
【図１】
2006087207.tif 000003
【図２】
2006087207.tif 000004